(57)【特許請求の範囲】
【請求項１】
ガスボンベの頭部の容器フランジに設けられた切欠き状のガイド凹部とガス器具側に設けられたガイド凸部とを操作爪の操作により係合させ、前記ガスボンベをボンベ収容部内の正常位置に装着するレバー式ボンベ着脱装置を有し、該レバー式ボンベ着脱装置が、前記ガスボンベの底部支持部と前記ガイド凸部の前記容器フランジとの対向面がガスボンベの軸線に対してオフセットの位置関係にあるように装着するものであるレバー式ボンベ着脱装置を有するカセットガスコンロにおいて、
前記ガイド凹部に係合するガイド凸部の前記容器フランジへの対向面を前記容器フランジ面に対する滑り面として構成し、前記装着が誤装着のときには、前記レバー式ボンベ着脱装置の操作荷重によりガスボンベに生ずる回転モーメントにより、前記ガスボンベが前記ボンベ収容部外に離脱するものであり、
前記容器フランジが亜鉛メッキ鋼板製のリング状部材であり、前記ガイド凸部がポリアセタール製であることを特徴とするレバー式ボンベ着脱装置を有するカセットコンロ。
【請求項２】
ガスボンベの頭部の容器フランジに設けられた切欠き状のガイド凹部とガス器具側に設けられたガイド凸部とを操作爪の操作により係合させ、前記ガスボンベをボンベ収容部内の正常位置に装着するレバー式ボンベ着脱装置を有し、該レバー式ボンベ着脱装置が、前記ガスボンベの底部支持部と前記ガイド凸部の前記容器フランジとの対向面がガスボンベの軸線に対してオフセットの位置関係にあるように装着するものであるレバー式ボンベ着脱装置を有するカセットガスコンロにおいて、
前記ガイド凹部に係合するガイド凸部の前記容器フランジへの対向面を前記容器フランジ面に対する滑り面として構成し、前記装着が誤装着のときには、前記レバー式ボンベ着脱装置の操作荷重によりガスボンベに生ずる回転モーメントにより、前記ガスボンベが前記ボンベ収容部外に離脱するものであり、
前記容器フランジが亜鉛メッキ鋼板製のリング状部材であり、前記ガイド凸部の前記容器フランジへの対向面がポリテトラフルオロエチレン被覆部材により構成されていることを特徴とするレバー式ボンベ着脱装置を有するカセットコンロ。
【請求項３】
前記ガイド凸部は、前記ガス器具側に設置された固定軸を中心に上下に回動自在に取りつけられたものであることを特徴とする請求項１または２に記載のレバー式ボンベ着脱装置を有するカセットコンロ。
【請求項４】
ガスボンベの頭部の容器フランジに設けられた切欠き状のガイド凹部とガス器具側に設けられたガイド凸部とを操作爪の操作により係合させ、前記ガスボンベをボンベ収容部内の正常位置に装着するレバー式ボンベ着脱装置を有し、該レバー式ボンベ着脱装置が、前記ガスボンベの底部支持部と前記ガイド凸部の前記容器フランジとの対向面がガスボンベの軸線に対してオフセットの位置関係にあるように装着するものであるレバー式ボンベ着脱装置を有するカセットガスコンロにおいて、
前記ガイド凸部は、前記ガス器具側に設置された固定軸を中心に上下に回動自在に取りつけられており、
前記ガイド凹部に係合するガイド凸部の前記容器フランジへの対向面を前記容器フランジ面に対する滑り面として構成し、前記装着が誤装着のときには、前記レバー式ボンベ着脱装置の操作荷重によりガスボンベに生ずる回転モーメントにより、前記ガスボンベが前記ボンベ収容部外に離脱するものであることを特徴とするレバー式ボンベ着脱装置を有するカセットコンロ。
【請求項５】
前記容器フランジが亜鉛メッキ鋼板製のリング状部材であり、前記ガイド凸部がポリアセタール製であることを特徴とする請求項４に記載のレバー式ボンベ着脱装置を有するカセットコンロ。
【請求項６】
前記容器フランジが亜鉛メッキ鋼板製のリング状部材であり、前記ガイド凸部の前記容器フランジへの対向面がポリテトラフルオロエチレン被覆部材により構成されていることを特徴とする請求項４に記載のレバー式ボンベ着脱装置を有するカセットコンロ。
【請求項７】
操作荷重が５Ｎ以上１５０Ｎ以下であることを特徴とする請求項１〜６のいずれか一項に記載のレバー式ボンベ着脱装置を有するカセットコンロ。
【請求項８】
レバー式ボンベ着脱装置が、ガスボンベの底部支持部を支持爪により支持するものであって、該支持爪が板ばね材を断面Ｕ字形に屈曲して形成した弾性部材により構成されていることを特徴とする請求項１〜７のいずれか一項に記載のレバー式ボンベ着脱装置を有するカセットコンロ。
【発明の詳細な説明】
【技術分野】
【０００１】
本発明は、カセットコンロ、すなわち、調圧装置であるガバナに液化ガスを燃料として充填されたガスボンベをレバー式ボンベ着脱装置により機械的に装着して燃料ガスを供給するようにしてなるカセットコンロ、特に、ガスボンベの装着時にその誤装着による事故を防止することができるカセットコンロに関する。
【背景技術】
【０００２】
カセットコンロは、小容量で着脱式のガスボンベを燃料源とする加熱調理器具であり、ガスボンベから供給される燃料ガスを、調圧装置であるガバナを介して燃焼部であるガスバーナへ供給するもので、基本的には、ガスバーナを収容するバーナ収容部と、燃料ガスの供給ガス圧を調整するガバナを備えると共にガスボンベを該ガバナへ着脱自在に収容するボンベ収容部によってコンロ本体が構成されている。
【０００３】
かかるカセットコンロは、ガバナの挿入孔にガスボンベ先端部に設けられたステムを押し込み、該挿入孔内でステムを先端側から押圧して後退させ、ガスボンベ内のバルブを開放することによってガスボンベ内に充填された燃料ガスをガバナに噴射供給するようになっている。したがって、カセットコンロにおいては、ガスボンベがボンベ装着部に正しく装着することが必要であり、そのため、磁石式ガスボンベ装着装置（その代表例は特許文献１に示される）やレバー式ボンベ着脱装置が用いられている。
【０００４】
これらのうち、レバー式ボンベ着脱装置は、たとえば、特許文献２に示されているように、リンク機構を利用した容器着脱レバーによってガスボンベの着脱を操作するようになっており、コンロ本体のバーナ収容部とボンベ収容部を区画する隔壁のボンベ収容部側に、ガスボンベの底部端縁を保持する手段を備えた摺動板を離脱方向に付勢させた状態で配設し、容器着脱レバーの操作によって摺動板をガバナ方向へ摺動させてロックすることによって、ガスボンベのステムがガバナの挿入孔へ押し入れられて燃料ガスを噴射供給する装着状態を確保するとともに、容器着脱レバーの操作によって装着状態にある摺動板のロックを解除して付勢された離脱方向に摺動させることによって、ガスボンベのステム（ガス噴出ノズルを兼ねる）に対する押圧を解除して燃料ガスの供給を停止することができるように構成されている。
【０００５】
ここにおいて、液化ガスを充填したガスボンベは、容器内部で気化したガスを供給するために、ガス流出部のステムに連通するパイプが容器内部の液面より上方の空間に常に開口しているように装着されることが必要である。そのためにガスボンベの頭部に容器フランジを備え、その一部に切欠き状のガイド凹部が設けるとともに、ガス器具側には上記ガイド凹部に係合するガイド凸部が設けられ、両者が一致するようにしている。
【０００６】
このようなレバー式ボンベ着脱装置においては、ガスボンベの誤装着を防止する手段として、たとえば、特許文献２に警音を発することにより誤装着が起こったことを知らしめるようにしたものが、また、特許文献３にはカセットガスコンロのボンベ収容部の上面を覆うカバーの内面側にガスボンベの装着用の補助手段を設けることによって、ガバナに装着されたガスボンベの装着状態を、より確実且つ安定的に保持できる手段が開示されている。
【先行技術文献】
【特許文献】
【０００７】
【特許文献１】登録実用新案第２５４７１２８号公報
【特許文献２】特開平９−３１０８４０号公報
【特許文献３】特開２００８−３０４１０５号公報
【発明の概要】
【発明が解決しようとする課題】
【０００８】
しかしながら、特許文献２に開示された手段は、誤装着を認識させるための警音装置を内蔵させるためにコスト高になるなどの問題がある。一方、特許文献３に記載の手段は、レバー式ボンベ着脱装置を適用した場合の誤装着によって生ずる問題を本質的に解決できないという問題がある。さらに、誤装着が生じたことを、使用者が視覚的・物理的に認識することが困難である。
【０００９】
本発明は、レバー式ボンベ着脱装置を有するカセットコンロのガスボンベの誤装着を本質的に防止するとともに、また、使用者が誤装着を物理的、視覚的に認識することができるレバー式ボンベ着脱装置を有するカセットコンロを提供することを目的とする。
【課題を解決するための手段】
【００１０】
本発明者は、ガスボンベ底部のレバー式ボンベ着脱装置との接触支持部と前記ガイド凸部とが、ガスボンベの軸線に対してオフセットの位置関係にあること、それによりボンベ装着時にセットレバーの操作荷重によりボンベに回転モーメント生ずることに着目し、前記ガイド凸部が容器フランジ上を容易に滑るようにすれば、いいかえれば、前記ガイド凸部の容器フランジへの対向面との間の摩擦係数が充分小さくなれば、誤装着、すなわち、ガスボンベ側の容器フランジのガイド凹部にガス器具側のガイド凸部が正しく挿入されないときには、ガイド凸部が容器フランジ上を滑ってしまう結果、ガスボンベがボンベ収容部外に離脱してしまうことを知見し、この知見を利用して本発明を完成した。
【００１１】
本発明に係るカセットコンロは、レバー式ボンベ着脱装置を内蔵するカセットコンロにおいては、ガスボンベの装着に当たり、ガスボンベの頭部の容器フランジに設けられた切欠き状のガイド凹部と、ガス器具側に設けられたガイド凸部とを、操作爪の操作により係合させ、前記ガスボンベをボンベ収容部内の正常位置に装着するレバー式ボンベ着脱装置を有し、該レバー式ボンベ着脱装置が前記ガスボンベの底部支持部と前記ガイド凸部の前記容器フランジとの対向面がガスボンベの軸線に対してオフセットの位置関係にあるように装着するものであるレバー式ボンベ着脱装置を有するカセットガスコンロにおいて、前記ガイド凹部に係合するガイド凸部の前記容器フランジへの対向面を前記容器フランジ面に対する滑り面として構成し、前記装着が誤装着のときには、前記レバー式ボンベ着脱装置の操作荷重によりガスボンベに生ずる回転モーメントにより、前記ガスボンベが前記ボンベ収容部外に離脱するようになっており、容器フランジが亜鉛メッキ鋼板製のリング状部材であり、ガイド凸部がポリアセタール製である。
【００１２】
また、さらに、本発明は、ガスボンベの頭部の容器フランジに設けられた切欠き状のガイド凹部とガス器具側に設けられたガイド凸部とを操作爪の操作により係合させ、ガスボンベをボンベ収容部内の正常位置に装着するレバー式ボンベ着脱装置を有し、レバー式ボンベ着脱装置が、ガスボンベの底部支持部とガイド凸部の容器フランジとの対向面がガスボンベの軸線に対してオフセットの位置関係にあるように装着するものであるレバー式ボンベ着脱装置を有するカセットガスコンロにおいて、ガイド凹部に係合するガイド凸部の容器フランジへの対向面を容器フランジ面に対する滑り面として構成し、装着が誤装着のときには、レバー式ボンベ着脱装置の操作荷重によりガスボンベに生ずる回転モーメントにより、ガスボンベがボンベ収容部外に離脱するものであり、容器フランジが亜鉛メッキ鋼板製のリング状部材であり、ガイド凸部の容器フランジへの対向面がポリテトラフルオロエチレン被覆部材により構成されていることを特徴とするレバー式ボンベ着脱装置を有するカセットコンロを提供する。
また、ガイド凸部は、ガス器具側に設置された固定軸を中心に上下に回動自在に取りつけられたものであることが好ましい。
また、本発明は、ガスボンベの頭部の容器フランジに設けられた切欠き状のガイド凹部とガス器具側に設けられたガイド凸部とを操作爪の操作により係合させ、ガスボンベをボンベ収容部内の正常位置に装着するレバー式ボンベ着脱装置を有し、該レバー式ボンベ着脱装置が、ガスボンベの底部支持部とガイド凸部の容器フランジとの対向面がガスボンベの軸線に対してオフセットの位置関係にあるように装着するものであるレバー式ボンベ着脱装置を有するカセットガスコンロにおいて、ガイド凸部は、ガス器具側に設置された固定軸を中心に上下に回動自在に取りつけられており、ガイド凹部に係合するガイド凸部の容器フランジへの対向面を容器フランジ面に対する滑り面として構成し、装着が誤装着のときには、レバー式ボンベ着脱装置の操作荷重によりガスボンベに生ずる回転モーメントにより、ガスボンベがボンベ収容部外に離脱するものであることを特徴とするレバー式ボンベ着脱装置を有するカセットコンロを提供する。
前記発明において、容器フランジを亜鉛メッキ鋼板製のリング状部材により構成し、ガ
イド凸部をポリアセタール製とすることが好ましい。また、ガイド凸部を、その容器フラ
ンジへの対向面がポリテトラフルオロエチレン被膜で覆われた部材により構成することも
できる。
【００１３】
前記各発明において、ボンベ着脱に要するセットレバーの操作荷重を５Ｎ以上１５０Ｎ以下に制限したものとすることが好ましい。
【００１４】
前記各発明において、さらに、レバー式ボンベ着脱装置が、ガスボンベの底部支持部を支持爪により支持するものであって、該支持爪が板ばね材をＵ形に屈曲して形成した弾性部材により構成されているものとすることが好ましい。
【発明の効果】
【００１５】
本発明により、レバー式ボンベ着脱装置を有するカセットコンロのガスボンベの使用時の誤装着を確実に防止することができる。また、使用者が、ガスボンベが誤装着の位置にあったことを、物理的、視覚的に認識することができる。さらに、本発明に係るカセットコンロでは、容器着脱レバーに掛る力を小さく抑制できるため、カセットコンロの軽量化するとともに、誤装着による破損事故を防止できるという効果がある。
【図面の簡単な説明】
【００１６】
【図１】本発明に係るレバー式ボンベ着脱装置を有するカセットコンロの全体構成を示す平面図である。
【図２】本発明に係るレバー式ボンベ着脱装置を有するカセットコンロのボンベ収納部の斜視図である。
【図３】本発明に係るレバー式ボンベ着脱装置のガスボンベが装着されていない「ボンベ脱」の状態を示す平面図である。
【図４】本発明に係るレバー式ボンベ着脱装置のガスボンベが装着されている「ボンベ着」の状態を示す平面図である
【図５】ガスボンベが正常装着された状態を示す平面図である。
【図６】ガスボンベが誤装着されるときのガスボンベに掛る回転モーメントのよるガスボンベの離脱機構を示す説明図である。
【発明を実施するための形態】
【００１７】
図１は、本発明に係るレバー式ボンベ着脱装置を有するカセットコンロの全体構成を示す平面図である。ここに示すように、本発明に係るレバー式ボンベ着脱装置を有するカセットコンロは、コンロ本体のバーナ収容部1とボンベ収容部2に区分されており、ボンベ収納部2には、レバー式ボンベ着脱装置3及びガバナ4が設けられており、該ボンベ着脱装置3の操作爪6を押下げることにより、ガスボンベ5のステム7をガバナ4の挿入口に押入れることができるようになっている。
【００１８】
本発明においても、ガスボンベ5は、ボンベ収容部2に装着された状態で、ガスボンベ5に充てんした液化ガスを容器内部で気化させながら、ステム7から流出可能とするために、ガスボンベ5の収納姿勢をステム7に連通するパイプが容器内部の液面より上方の空間に常に開口しているように装着されなければならない。この目的を達するために、本発明においても、図２に示すように、ガスボンベの頭部にその一部を切り欠いてガイド凹部8を有する容器フランジ9が設けられており、一方、ガス器具側には、ガバナ4の上側面から延びるガイド凸部10が設けれ、ガスボンベ5の装着時に、前記ガイド凹部8にガイド凸部10を係合させることによって、ガスボンベ5を正常位置に保持・固定できるようになっている。ここにおいて、本発明においては、さらに、上記ガイド凸部10が、軸10-2を中心に上下に回動自在に取りつけられており、ガスボンベ5の正常装着時に装着の妨げとならないようになっている。
【００１９】
本発明においては、ガスボンベ5をボンベ収容部2内に着脱するためにガスボンベ5の底部支持部5-1と前記ガイド凸部10の容器フランジ9への対向面9-2がガスボンベの軸線に対してオフセットの位置関係にあるように装着する形式のレバー式ボンベ着脱装置3を利用する（図５参照）。このレバー式ボンベ着脱装置3は、具体的には、たとえば、図３（ボンベが装着されていない「ボンベ脱」の状態）及び図４(ボンベが装着された「ボンベ着」の状態)に示すように、ボンベ収容部2の側面（一般的にはバーナ収容部側に沿った面）に沿ってリンク機構11を有し、その先に摺動板を備える着脱装置本体12を配設し、その一端をボンベ収容部2の前面側に突出させて操作爪6とし、他端にボンベの底部周縁に係合する支持爪13を有しているものを利用することができる。
【００２０】
この形式の上記レバー式ボンベ着脱装置3は、操作爪6を押下げることにより、たとえば、特許文献２の図２〜４により公知のリンク機構11の作用により、ガスボンベ5を前方に牽引することができるようになっている。その際、上記ボンベに対する牽引力は、ボンベ5の底部周縁の下端5-1からガスボンベ5の前方に向かって作用し、容器フランジ9のうち、ガイド凸部10（ガス器具側のガバナ4の上側面から延びるガイド凸部10）との接点9-1で受けられることになる。その結果、ガスボンベ5の支持は、ガスボンベの軸線に対して互いにオフセットの位置関係にあるボンベ5の底部周縁の下端5-1とガイド凸部10との接点9-1で行われることになり、そのレバー式ボンベ着脱装置3への装着時に容器着脱レバーの操作荷重によりガスボンベに回転モーメントが生ずることになる。
【００２１】
本発明では、上記のようにガスボンベ5の装着時にガスボンベに回転モーメントが生ずることを利用し、ガスボンベが誤装着されようとするときには、一定条件の下で、上記回転モーメントの作用により、前記ガスボンベ5が前記ボンベ収容部2外に離脱するものとしている。
【００２２】
具体的には、ガスボンベが誤装着されようとするときに、上記回転モーメントによるボンベの離脱作用が確実に生ずるようにするため、前記ガイド凹部8に係合するガイド凸部10の容器フランジ9への対向面10-1を前記容器フランジ面に対する滑り面として構成する（図６参照）。さらに具体的には、容器フランジ9が、一般的には、亜鉛メッキ鋼板製であることに鑑み、ガイド突起10それ自体を、容器フランジ上を容易に滑る材質、たとえば、ポリアセタール製とするか、その少なくとも容器フランジとの接触面をポリテトラフルオロエチレン被覆された部材とすればよい。
【００２３】
ポリアセタールとしては、たとえば、ポリプラスティクス社製のジュラコン（登録商標）を利用することができ、また、ポリテトラフルオロエチレン被覆部材としては、たとえば、ガイド突起10の本体をＡＢＳ樹脂とし、その容器フランジ9への対向面をテフロン（登録商標）で被覆したものとすればよい。
【００２４】
ちなみに、前記ジュラコンやテフロンに対する滑り摩擦係数は小さく、これらを用いてガイド凹部8に係合するガイド凸部10の容器フランジ9への対向面10-1としたときには、亜鉛メッキ鋼板製の容器フランジ上をかじりつくことなく、よく滑るので、後述するように、例えば、レバー式ボンベ着脱装置の操作荷重（いわゆるセット荷重）を、例えば５Ｎ程度としても、ガイド凸部10が容器フランジ9の上を滑り、ガスボンベ5をその底部周縁の下端5-1とガイド凸部10間で支持することができなくなり、ボンベ収容部2外に離脱させることができるようになる。
【００２５】
本発明に係るレバー式ボンベ着脱装置を有するカセットガスコンロは上記のように構成されている。したがって、これにガスボンベを装着するとき、ガスボンベが正しい位置にセットされていれば、着脱操作により回転モーメントが生じても、ガスボンベ5の頭部に設けた容器フランジ9に設けられた切欠き状のガイド凹部8にガス器具側に設けられたガイド凸部10が挿入・係合させられているため、ガスボンベのステム7を押込み状態としてガスの噴出可能状態とすることができる。また、この状態から、カセットコンロの器具栓つまみ14を操作することにより、着火し、調理可能な状態とすることができる（図５参照）。
【００２６】
図６は、ガスボンベ5が誤装着される状態にあるときのガスボンベに掛る回転モーメントによるガスボンベが離脱するメカニズムを示す説明図である。この場合においては、ガスボンベ5の頭部に設けた容器フランジ9に設けられた切欠き状のガイド凹部8が、ガス器具側に設けられたガイド凸部10に正対する位置に置かれていない。いいかえれば、ガイド凸部10が容器フランジ9に当たるようになっている。そのため、この状態でレバー式ボンベ着脱装置3の操作爪6を押下げたとき、ボンベ5の底部支持部5-1と容器フランジ9のガイド凸部10との対向面に操作荷重が作用する。本発明においては、ガイド凸部10は容器フランジ9との間で容易に滑るように構成されているため、上記荷重が掛ると、ガスボンベ5に掛る回転モーメント（図中矢印Ａ）によりガスボンベ5がボンベ収納部2の外側に押出されることになる。
【００２７】
このように、本発明では、ガスボンベ5が誤装着される状態におかれていると、その装着時にレバー式ボンベ着脱装置から掛る回転モーメントによりガスボンベ5が容器収容部2から離脱し、これを使用者が容易に認識できることとなるので、誤装着による様々なトラブル、たとえば、無理に装着しようとしてレバー式ボンベ着脱装置に過大な力を掛けて破損させるなど、が避けられる。
【００２８】
さらに、本発明においては、ガイド凸部10と容器フランジ9との摩擦係数を小さくし、ボンベ5が誤装着状態に置かれているとき、ガイド凸部10が容器フランジ9上を容易に滑るように構成されているから、レバー式ボンベ着脱装置に掛る力を小さくすることができ、その結果、その軽量化を図ることができる。例えば、従来のレバー式ボンベ着脱装置にあっては、ガスボンベが誤装着されようとするときに、そのままレバー操作されることを想定して、操作荷重が１５０Ｎを超えても、その破損を免れるようにするのが一般的であり、そのためコンロ本体の強度を高める必要があった。これに対し、本発明においては、ボンベが約７０Ｎの荷重で離脱するようにすれば、全体のバランスを配慮しても１００Ｎ程度の操作荷重に耐えればよいことになり、着脱装置のみならず、コンロ本体（バーナ収容部及びボンベ収容部を含む）の枠組み全体の軽量化を図ることができる。
【００２９】
図３、図４は本発明に用いるレバー式ボンベ着脱装置の平面図である。ここでは、支持爪13が、弾性部材として構成されている。具体的には、板ばね材をＵ形に屈曲して形成することができる。このように、支持爪13を弾性部材とすると、ガスボンベが装着されていない「ボンベ脱」の状態であるときには、支持爪13は自然状態にあるが、ガスボンベが装着されている「ボンベ着」の状態のときには、支持爪13は操作荷重に応じてたわんで変形した状態となる(図３、図４参照)。
【００３０】
このように支持爪13を、弾性部材としたレバー式ボンベ着脱装置を用いると、ガスボンベが正しく装着されたときには、弾性部材の変形により生ずる力がガスボンベ5をガバナ4に向けて押しつけるように作用し、これにより、ガスボンベがより確実に装着されることになる。なお、上述の効果を奏するためには、支持爪13を構成する板ばね材を、たとえば、幅：１０ｍｍ、厚さ:０．５ｍｍ程度の板ばね材（材質：ＳＵＳ３０４−ＣＳＰ−Ｈ）とするのがよい。
【００３１】
これに対し、ガスボンベ5が、誤装着状態におかれるときには、次のように作動してより確実にガスボンベ5をボンベ収納部2の外側に押し出し、離脱させることになる。すなわち、まず、操作爪6に荷重を加えてガスボンベが装着されようとする。このとき、ガスボンベ5は正しい位置に置かれていない場合であっても、操作荷重が一定値、たとえば１０Ｎに達するまでは、容器フランジ9とガイド凸部10間には押圧力が掛った状態にあり、そのため、支持爪13は、操作荷重に応じた分だけ圧縮され、たわんだ状態となる。ついで、前記操作荷重が一定値、たとえば１０Ｎを超えると、ガイド凸部10が容器フランジ9上を滑り始め、容器フランジ9がガイド凸部10に沿って横滑りを始めることとなる。この際、前記たわんだ状態にあることにより支持爪13に蓄積されていた弾性的復元力が、容器フランジ9の横滑りを後押しする形となり、より確実にガスボンベ5をボンベ収納部2の外側に押し出し、離脱させることになる。
【実施例】
【００３２】
本発明により、ガイド凸部10の容器フランジ9への対向面をポリテトラフルオロエチレン被覆部材により構成されたものとして組立てたレバー装着式カセットコンロは、ガスボンベ（市販のガスボンベであって、その頭部には切欠き付きの亜鉛メッキ製の容器フランジが取り付けられている）の装着時の特性が、表１のとおりと実測されており、ガスボンベが誤装着状態にあるときには、ごく軽い荷重でガスボンベがボンベ収容部の外に離脱してしまうことが分かる。特に、支持爪をバネ性あり、すなわち、板ばね材を断面Ｕ字形に屈曲して形成した弾性部材により構成したときには、より操作荷重でガスボンベがボンベ収容部外に離脱することが明らかである。
【００３３】
【表１】
0005538339.tif 000002
【符号の説明】
【００３４】
1：（コンロ本体の）バーナ収容部
2：ボンベ収納部
3：レバー式ボンベ着脱装置
4：ガバナ
5：ガスボンベ
5-1：（ボンベ5の）底部支持部
6：（レバー式ボンベ着脱装置3の）操作爪
7：ステム
8：ガイド凹部
9：容器フランジ
9-1：（容器フランジのガイド凸部10との）接点
10：ガイド凸部
10-1：（ガイド凸部10の容器フランジ9への）対向面
10-2：（ガイド凸部10の）回転軸
11：リンク機構
12：着脱装置本体
13：支持爪
14：器具栓つまみ
【図１】
0005538339.tif 000003
【図２】
0005538339.tif 000004
【図３】
0005538339.tif 000005
【図４】
0005538339.tif 000006
【図５】
0005538339.tif 000007
【図６】
0005538339.tif 000008